(57)【要約】【課題】複数の電気部品を筐体内に配置した制御盤を組み立てるに当たり、その組み立ての作業性を高める。【解決手段】制御盤は、筐体１１と、複数の電気部品６１と、取り付けフレーム２００とを有する。取り付けフレーム２００は、取り付けフレーム本体１と、取り付けフレーム本体１に対してヒンジを介して鉛直方向の軸の周りに回動可能に取り付けられた回動フレーム部２１、２２とを有する。取り付けフレーム２００にあらかじめ複数の電気部品６１が取り付けられ、その状態で筐体１１内に収容される。【選択図】図１
2009240124.tif 000002
【特許請求の範囲】
【請求項１】
筐体と、
複数の電気部品と、
前記複数の電気部品が取り付けられた状態で前記筐体内に収容される取り付けフレームであって、取り付けフレーム本体と、前記取り付けフレーム本体に対してヒンジを介して鉛直方向の軸の周りに回動可能に取り付けられた回動フレーム部と、を具備する取り付けフレームと、
を有すること、を特徴とする制御盤。
【請求項２】
前記フレーム本体はほぼ直方体形状であって、
前記ヒンジが前記フレーム本体の一側面の両端に配置され、
前記ヒンジを介して２個の前記回動フレームが取り付けられていること、
を特徴とする請求項１に記載の制御盤。
【請求項３】
前記筐体は開閉可能な開口部を有し、
前記複数の電気部品が取り付けられた取り付けフレームが前記筐体内に収容された状態で、前記筐体の開口部が開いているときに、この開口部を通した操作によって前記回動フレームを回動させることができ、複数の電気部品を前記取り付けフレームに取り付けることができるように構成されていること、を特徴とする請求項１または請求項２に記載の制御盤。
【請求項４】
複数の電気部品と、前記複数の電気部品が取り付けられた取り付けフレームと、この取り付けフレームを収容する筐体と、を有する制御盤の組み立て方法において、
前記取り付けフレームは、取り付けフレーム本体と、前記取り付けフレーム本体に対してヒンジを介して鉛直方向の軸の周りに回動可能に取り付けられた回動フレーム部と、を有し、
当該組み立て方法は、
前記筐体外に配置された前記取り付けフレームに前記複数の電気部品を取り付ける部品取り付け工程と、
前記部品取り付け工程の後に前記複数の電気部品を取り付けた取り付けフレームを前記筐体内に収容する取り付けフレーム収容工程と、
を有すること、を特徴とする制御盤組み立て方法。
【請求項５】
前記部品取り付け工程は、前記筐体外で前記取り付けフレームを横倒しにした状態で前記取り付けフレームに前記複数の電気部品を取り付ける工程を含むこと、を特徴とする請求項４に記載の制御盤組み立て方法。
【請求項６】
前記取り付けフレーム収容工程は、前記複数の電気部品を取り付けた取り付けフレームを囲むように前記筐体を組み立てる工程を含むこと、を特徴とする請求項４または請求項５に記載の制御盤組み立て方法。
【請求項７】
前記取り付けフレーム収容工程の前に、開口部を有する前記筐体を組み立てる工程をさらに有し、
前記取り付けフレーム収容工程は、前記複数の電気部品を取り付けた取り付けフレームを前記筐体内に挿入して設置する工程を含むこと、
を特徴とする請求項４または請求項５に記載の制御盤組み立て方法。
【請求項８】
前記フレーム収容工程の後に、前記筐体の開閉可能な開口部を開き、この開口部を通した操作によって、前記回動フレームを回動させ、電気部品を前記取り付けフレームに取り付ける工程をさらに有すること、を特徴とする請求項４ないし請求項７のいずれか一項に記載の制御盤組み立て方法。
【請求項９】
前記フレーム収容工程の後に、前記筐体の開閉可能な開口部を開き、この開口部を通した操作によって、前記回動フレームを回動させ、前記取り付けフレームに取り付けられていた前記電気部品を取り外す工程をさらに有すること、を特徴とする請求項４ないし請求項８のいずれか一項に記載の制御盤組み立て方法。
【発明の詳細な説明】
【技術分野】
【０００１】
この発明は、複数の電気部品を筐体内に配置した制御盤と、その組み立て方法に関する。
【背景技術】
【０００２】
発電設備などのプラントやその他の機械の監視や制御を行なうための制御盤は、制御ユニットや制御のための電気機器、ケーブルを接続する端子台、コネクタなどを内部に取り付けた筐体部分と、その筐体部分全体を外側から覆い囲う扉、天井板、側面化粧板等で構成されているのが一般的である。
【０００３】
またその制御盤を組み立てるにあったては、電気機器類はすべて筐体部分の内部に収納されるため、その取り付け、組み立て作業はほとんどが筐体内に作業者が入り込んで狭いスペースで作業を実施している。
【０００４】
前述した制御盤組み立て作業においてほとんどの場合、制御盤内に取り付ける電気部品は筐体内部の正面と側面に取り付けられ、電気的な配線で構成されている。その取り付けや配線の作業は、縮小化された狭いスペースの筐体内に入ってその作業を実施している。これに対して、なるべく作業を制御盤の外で実施するために、ある程度ユニット化されたもので対応をする作業に置き換えられてきている。しかし、仕様決定が遅れ、筐体が完成してもその筐体内部に取り付ける内部構造用品が完成せずに組み立てに着手できなかったり、また電気部品の仕様は決定したが筐体側の仕様が決まらず筐体を完成することができず組み立て作業に着手できない等の製作工程を乱す要因が多く存在していた。
【特許文献１】特開２００４−３１２９４１号公報
【発明の開示】
【発明が解決しようとする課題】
【０００５】
これに対して、特許文献１に記載されているように、筐体外でパネルへの電気部品取り付けや配線の作業を行ない、その後にパネルの外側に筐体を組み立てる方法が提案されている。しかし、特許文献１に記載された技術では、筐体外での電気部品取り付けや配線の作業が必ずしも効率よくできず、また、パネルの外側に筐体を配置した後に筐体内の部品を交換したり新たに部品を追加して取り付けるのが困難であった。
【０００６】
本発明は上述した課題を解決するためになされたものであり、複数の電気部品を筐体内に配置した制御盤を組み立てるに当たり、その組み立ての作業性を高めることを目的とする。
【課題を解決するための手段】
【０００７】
上記目的を達成するために、本発明に係る制御盤は、筐体と、複数の電気部品と、前記複数の電気部品が取り付けられた状態で前記筐体内に収容される取り付けフレームであって、取り付けフレーム本体と、前記取り付けフレーム本体に対してヒンジを介して鉛直方向の軸の周りに回動可能に取り付けられた回動フレーム部と、を具備する取り付けフレームと、を有すること、を特徴とする。
【０００８】
また、本発明に係る制御盤組み立て方法は、複数の電気部品と、前記複数の電気部品が取り付けられた取り付けフレームと、この取り付けフレームを収容する筐体と、を有する制御盤の組み立て方法において、前記取り付けフレームは、取り付けフレーム本体と、前記取り付けフレーム本体に対してヒンジを介して鉛直方向の軸の周りに回動可能に取り付けられた回動フレーム部と、を有し、当該組み立て方法は、前記筐体外に配置された前記取り付けフレームに前記複数の電気部品を取り付ける部品取り付け工程と、前記部品取り付け工程の後に前記複数の電気部品を取り付けた取り付けフレームを前記筐体内に収容する取り付けフレーム収容工程と、を有すること、を特徴とする。
【発明の効果】
【０００９】
本発明によれば、制御盤を構成する電気部品が揃えば筐体が存在しなくても電気部品が各々取り付けられ、フレームやパネルがあれば制御盤を構成することが可能であり、これによって制御盤組み立ての作業効率を高めることができる。
【発明を実施するための最良の形態】
【００１０】
以下、本発明に係る制御盤の実施形態について、図面を参照して説明する。
【００１１】
図１は、本発明に係る制御盤の一実施形態において、取り付けフレームを筐体の外側に配置した状態を示す展開斜視図である。図２は図１の取り付けフレームで、回動フレーム部を開いた状態を示す斜視図であり、図３は図２の取り付けフレームで、回動フレーム部を閉じた状態を示す斜視図である。図４は、図１の制御盤で、取り付けフレームを筐体内に配置した状態を示す斜視図であり、図５は図４の状態の制御盤を図４の反対側から見た斜視図であり、図６は図５の制御盤で筐体の扉を閉じた状態を示す斜視図である。さらに、図７は図１の筐体のみを示す展開斜視図である。
【００１２】
この制御盤は、筐体１１と、この筐体１１内に配置される取り付けフレーム２００とを有する。取り付けフレーム２００は、筐体１１外に配置された状態で、電源装置４１、制御ユニット４３やその他の電気部品６１が取り付けられ、その後に、電気部品６１などが取り付けられた取り付けフレーム２００の外側に筐体１１が組み立てられる。
【００１３】
取り付けフレーム２００は、床面上で自立可能な取り付けフレーム本体１と、取り付けフレーム本体１に対してヒンジ３１を介して回動可能な左側側面用部品取り付けフレーム（左側回動フレーム）２１および右側側面部品取り付けフレーム（右側回動フレーム）２２とからなる。取り付けフレーム本体１はほぼ直方体形状であって、筐体１１内に配置されたときに筐体の裏側になる向きの取り付けフレーム本体１の一つの側面の両端部近くにヒンジ３１が配置されている。これらのヒンジ３１は回動軸が鉛直向きであって、左側回動フレーム２１および右側回動フレーム２２が水平方向に手動で回動できる。
【００１４】
取り付けフレーム本体１には電源４１、制御ユニット４３などが取り付けられる。また、左側回動フレーム２１および右側回動フレーム２２にはその他の電気部品６１が取り付けられる。取り付けフレーム２００に電気部品６１などを取り付けて配線する際に取り付けフレーム２００が筐体１１の外に配置されて自立しているので、取り付け・配線作業の作業性がよい。さらに、左側回動フレーム２１および右側回動フレーム２２が回動可能であるので、さらに作業性がよい。
【００１５】
取り付けフレーム２００に電気部品６１などを取り付けて配線した後に、この取り付けフレーム２００を移動して、筐体１１の底部を構成する底フレーム１１０上に配置する。そして、底フレーム１１０の上部および取り付けフレーム本体１の底部に設けた連結用穴１００にボルトやリベットなど（図示せず）を通して、底フレーム１１０と取り付けフレーム本体１とを連結する。その後、取り付けフレーム２００を囲むように筐体用フレーム１１１、天井フレーム１１２を配置し、連結用穴１００にボルトなどを通してこれらを連結し、筐体１１を組み立てる。この筐体１１は取り付けフレーム本体１の各面に平行な面を有する直方体の箱状のものであって、開閉可能な正面扉７１および裏面扉７２を有する。
【００１６】
取り付けフレーム２００が筐体１１内に収容され設置されているときには、回動フレーム２１、２２は、図２に示すように閉じた状態であり、回動フレーム２１、２２が裏面扉７２に向かって平行になっている。
【００１７】
上記実施形態で、取り付けフレーム２００を覆う筐体１１を組み立てた後に、取り付けフレーム２００にすでに取り付けて配線した電気部品６１などの一部を取り出して別のものに取り換えたり、新たな電気部品をさらに取り付けたい場合がある。そのような場合の作業の状況を図８に示す。ここで、図８は、図１の制御盤で、取り付けフレーム２００を筐体１１内に配置した後に、左側回動フレーム２１を開いた状態を示す斜視図である。この図に示すように、筐体１１の左側側面の開口部を通して左側回動フレーム２１を外側に開くことができ、この状態で筐体１１の外側にいる作業員が左側回動フレーム２１への電気部品６１などの着脱や配線作業を行なうことができる。
【００１８】
上記実施形態で、取り付けフレーム本体１を筐体１１外に立てておく際に、自立を補助する補助脚（図示せず）を用いてもよい。
【００１９】
また、初めから取り付けフレーム本体１を底フレーム１１０上に固定したうえで、取り付けフレーム２００に電気部品６１などを取り付けて配線する作業を行ない、その後に底フレーム１１０に対して筐体フレーム１１１の各部品を固定していって筐体１１を組み立てるようにしてもよい。
【００２０】
さらに、筐体１１外で、取り付けフレーム２００を横倒しにした状態で取り付けフレーム２００に電気部品６１などを取り付ける作業を行ない、その後に取り付けフレーム２００を立てて、筐体１１を組み立てるようにしてもよい。その場合、図９に示すように、作業台５１を床面上に設置し、この作業台５１の上に取り付けフレーム２００を横倒しにして、この状態で取り付けフレーム２００に電気部品６１などを取り付ける作業を行なうこともできる。ここで、図９は、図２の取り付けフレームを作業台上で横倒しにして回動フレーム部を開いた状態を示す斜視図である。このように取り付けフレーム２００を横倒しにすることにより、特に取り付けフレーム２００の高さが高い場合にも高所作業を減らすことができ、作業性の改善が著しい。
【００２１】
さらに、上記実施形態の説明では、取り付けフレーム２００に電気部品６１などを取り付けたものの外側に筐体１１を組み立てていくものとしたが、あらかじめ組み立てた筐体１１の開口部を通して、電気部品６１などが取り付けられた取り付けフレーム２００を挿入して設置するようにしてもよい。
【００２２】
なお、上記実施形態の図で、筐体１１の側面には大きな開口部があるが、この開口部は、パネル（図示せず）を取り付けるか、隣接する他の筐体（図示せず）と接続することによって塞ぐことができる。
【図面の簡単な説明】
【００２３】
【図１】本発明に係る制御盤の一実施形態において、取り付けフレームを筐体の外側に配置した状態を示す展開斜視図である。
【図２】図１の取り付けフレームで、回動フレーム部を開いた状態を示す斜視図である。
【図３】図２の取り付けフレームで、回動フレーム部を閉じた状態を示す斜視図である。
【図４】図１の制御盤で、取り付けフレームを筐体内に配置した状態を示す斜視図である。
【図５】図４の状態の制御盤を、図４の反対側から見た斜視図である。
【図６】図５の制御盤で筐体の扉を閉じた状態を示す斜視図である。
【図７】図１の筐体のみを示す展開斜視図である。
【図８】図１の制御盤で、取り付けフレームを筐体内に配置し、左側回動フレームを開いた状態を示す斜視図である。
【図９】図２の取り付けフレームを作業台上で横倒しにして回動フレーム部を開いた状態を示す斜視図である。
【符号の説明】
【００２４】
１…  取り付けフレーム本体
１１…  筐体
２１…  左側側面部品取り付けフレーム（左側回動フレーム）
２２…  右側側面部品取り付けフレーム（右側回動フレーム）
３１…  ヒンジ
４１…  電源装置
４３…  制御ユニット
５１…  作業台
６１…  電気部品
７１…  正面扉
７２…  裏面扉
１００…  連結用穴
１１０…  底フレーム
１１１…  筐体用フレーム
１１２…  天井フレーム
２００…  取り付けフレーム
【図１】
2009240124.tif 000003
【図２】
2009240124.tif 000004
【図３】
2009240124.tif 000005
【図４】
2009240124.tif 000006
【図５】
2009240124.tif 000007
【図６】
2009240124.tif 000008
【図７】
2009240124.tif 000009
【図８】
2009240124.tif 000010
【図９】
2009240124.tif 000011